(57)【特許請求の範囲】
【請求項１】
建物内部の柱に固定し、水の流路を開閉するスピンドルを備えた水栓金具を支持するためのレールを形成した後板と、前記柱と間隔をおいて立設した壁板の表側から、壁板に穿設した窓孔を挟んで後板へ固定する前板とからなり、前記前板は固定手段により後板に支持された水栓金具を固定し、前記窓孔から前方に露出するスピンドルに操作用のハンドルを装着することを特徴とする水栓金具の壁板への固定構造。
【請求項２】
前記後板のレールは、水栓金具を前後にスライド自在に支持したことを特徴とする請求項１記載の水栓金具の壁板への固定構造。
【請求項３】
前記水栓金具は固定用孔を穿設し、前板には固定用孔と前後に向かい合わせてねじ孔を穿設し、前板のねじ孔と水栓金具の固定用孔を固定手段により固定することを特徴とする請求項１記載の水栓金具の壁板への固定構造。
【請求項４】
前記固定手段はボルトとしたことを特徴とする請求項３記載の水栓金具の壁板への固定構造。
【発明の詳細な説明】
【０００１】
【発明の属する技術分野】
本発明は、建物内部で柱と壁板の間へ収容する水栓金具の固定構造に関するものである。
【０００２】
【従来の技術】
従来、一般の集合住宅で、洗濯用水栓，洗面所用水栓，台所用水栓，散水用水栓等の水栓金具を、建物内部で壁板に固定するには、建物に壁板を立設する前に、柱に後板を固定し、該後板に水栓金具を固定している。このような水栓金具の壁板への固定構造について公知のものに、図７のものがある。この図７について簡単に説明すると、建物の内部で垂直方向に設置された柱３１に後板３２を固定し、該後板３２に対して水栓金具３３を固定し、該水栓金具３３は給水源から水を導入するための給水管３４を接続する継手管３５と、洗濯機等に水を供給するためのホース３７を接続する吐水口３６と、前記継手管３５から吐水口３６への水の流路を開閉する開閉用のハンドル３９を装着するスピンドル３８とを備えており、柱３１の前方に間隔を設けて壁板４０を立設し、水栓金具３３のスピンドル３８は、壁板４０に穿設した窓孔４１から前方に露出させておき、壁板４０の前方からスピンドル３８に対しハンドル３９を装着し、さらにホース３７を吐水口３６に接続するものである。
【０００３】
上記のものにあっては、水栓金具を固定するための後板は柱に固定されているが、柱と壁板の間隔、又は壁板の肉厚は、各施工現場によりそれぞればらつきがある。従って、水栓金具のスピンドルの壁板から前方への突出量は、各施工現場によってそれぞれ異なることとなり、スピンドルに装着するハンドルが、壁板から前方へ著しく突出してしまう場合もあり、壁板とハンドルの間隔が広すぎるため見栄えが悪くなり、その改善が望まれていた。
【０００４】
【発明が解決しようとする課題】
本発明が解決しようとする課題は、水栓金具の柱と壁板の間での固定位置が、各施工現場や壁板の厚みによりばらつくことがなく、施工の仕上がりを向上させることである。
【０００５】
【課題を解決するための手段】
本発明は請求項１では、建物内部の柱に固定し、水の流路を開閉するスピンドルを備えた水栓金具を支持するためのレールを形成した後板と、前記柱と間隔をおいて立設した壁板の表側から、壁板に穿設した窓孔を挟んで後板へ固定する前板とからなり、前記前板は固定手段により後板に支持された水栓金具を固定し、前記窓孔から前方に露出するスピンドルに操作用のハンドルを装着するものである。
【０００６】
請求項２では、後板のレールは、水栓金具を前後にスライド自在に支持したものである。
【０００７】
請求項３では、水栓金具は固定用孔を穿設し、前板には固定用孔と前後に向かい合わせてねじ孔を穿設し、前板のねじ孔と水栓金具の固定用孔を固定手段により固定するものである。
【０００８】
請求項４では、固定手段はボルトとしたものである。
【０００９】
【発明の実施の形態】
以下、本発明の実施の形態を図に基づいて詳細に説明する。
図１に示すように、後板３は薄板状で、建物内部で水平方向に設置された柱１と前後に向かい合う垂直部４と、該垂直部４の左右両端から直角に折曲して前方に突出した両側部５，５とを備え、前記垂直部４の略中央にはビス孔４ａを穿設し、該ビス孔４ａからビス４ｂを挿入して柱１へビス止めをし、後板３を柱１の前側へ固定可能としている。
【００１０】
前記後板３の両側部５，５の上端及び下端には、互いに向かい合うように前方から内側に向けて折曲した舌片６を四隅にそれぞれ形成し、各舌片６に後述する前板１９をボルト６ｂにより固定するためのねじ孔６ａをそれぞれ穿設している。また前記垂直部４の下部から前方に向けて一対のレール７，７を左右に間隔をあけて平行方向に形成し、該レール７は上部が水平面７ａであり、左右の両レール７，７の上部に後述する水栓金具８を支持し、該水栓金具８をレール７，７に沿って前後にスライド可能としている。
【００１１】
前記水栓金具８は図２に示すように縦長で、下部には給水源に連通する給水管１０を垂直方向に接続する円筒状の継手管９が設けられ、上部には該継手管９より小径の円筒状に形成した吐水口１１が、下方に傾斜する方向に突設して設けられており、該吐水口１１と左右に併設した流量調節部１２から前方に向けてスピンドル１３が水平方向に突出し、前記柱１より前方で間隔をおいて壁板２を立設した後に、スピンドル１３に装着するハンドル１４を開閉操作すれば、継手管９と連通している流量調節部１２により水の吐水量が調節され、前記給水管１０から供給される水を、吐水口１１から外部へ吐水可能である。
【００１２】
また、水栓金具８は円筒状の継手管９と流量調節部１２の間には、継手管９と略同一の外径とした環状の鍔部１５が形成され、前記後板３に形成した両レール７，７の間隔は、継手管９と鍔部１５の間に形成される環状の溝１６の直径より長く、かつ鍔部１５の直径より短く形成されており、両レール７，７の水平面７ａ，７ａの上部に、水栓金具８の鍔部１５を支持すれば、水栓金具８は両レール７，７に沿って前後にスライド可能である。
【００１３】
そして水栓金具８の流量調節部１２に対し左右両側には、突起１７，１７をそれぞれ突出して形成し、各突起１７，１７には後述する前板１９に固定するための固定用孔１８，１８をそれぞれ穿設している。
【００１４】
前記前板１９は図３及び図４に示すように、後板３に水栓金具８を支持した後に、建物内部を仕切るために立設される壁板２に穿設した窓孔２ａに対し、前側から固定するものであり、後板３と壁板２を挟んで前後に向かい合う略正方形の枠形で、上下の各平行部１９ａ，１９ａ及び左右両端の各垂直部１９ｂ，１９ｂの各隅部内側には、前記後板３の各舌片６と前後に向かい合わせて突起２０をそれぞれ形成し、該突起２０にそれぞれボルト６ｂを挿通するためのねじ孔２０ａを穿設している。また、前板１９の上側の平行部１９ａ及び左側の垂直部１９ｂからは、内側に向けてアーム板２１，２１をそれぞれ形成し、該アーム板２１，２１にそれぞれねじ孔２１ａ，２１ａを穿設し、このねじ孔２１ａ，２１ａは前記水栓金具８の各固定用孔１８，１８と前後に向かい合うように穿設し、前板１９のねじ孔２１ａ，２１ａと水栓金具８の固定用孔１８，１８を前後に一致させて固定手段であるボルト２２，２２を締結すれば、水栓金具８は前板１９に対し壁板２の前側から固定可能である。なお、前板と水栓金具の固定手段はボルトに限らず、他の例えば接着によるものや係合ピンによるものなどの固定手段でもよい。また、固定手段の個数も実施例のものに限らない。
【００１５】
本発明において、水栓金具８の壁板２への固定手順は次の通りである。
まず、図１に示すように後板３の垂直部４に穿設したビス孔４ａにビス４ｂを挿入して、建物内部に設置された柱１の所定位置にビス止めをし、柱１の前側へ後板３を固定する。
【００１６】
次に図２に示すように、水栓金具８の鍔部１５を後板３の両レール７，７の上部に支持する。この場合、水栓金具８は両レール７，７の上部を前後にスライド自在である。
【００１７】
そして図３に示すように、水栓金具８を後板３に支持した状態で、建物内部を仕切る壁板２を立設し、水栓金具８の吐水口１１及びスピンドル１３が正面に露出するように、壁板２に窓孔２ａを穿設する。
【００１８】
次に図４及び図５に示すように、前板１９が壁板２の窓孔２ａを覆うようにして、壁板２の裏側の後板３と前後に向かい合わせ、前板１９の４箇所のねじ孔２０ａと後板３の４箇所のねじ孔６ａをそれぞれ前後に重ね合わせて、各ボルト６ｂを締結する。この場合、両アーム板２１のねじ孔２１ａと水栓金具８の固定用孔１８は前後に重なり合うので、水栓金具８を両レール７，７に沿って前板３へ引き寄せ、固定手段である各ボルト２２，２２を締結すれば、水栓金具８は前板１９に固定される。
【００１９】
次に図６に示すように、前板１９に化粧カバー２３を装着して水栓金具８を覆い隠し、スピンドル１３にはハンドル１４を、吐水口１１にはホース接続用のカプラー２４を装着する。
【００２０】
従って、通常は柱１と壁板２の間隔、又は壁板２の厚みは各施工現場によりそれぞればらつきのあるものであるが、本発明では前板１９を後板３と共に壁板２に固定し、壁板２を立設する前に、後板３に支持した水栓金具８をこの前板１９に固定することができるので、水栓金具８のスピンドル１３は、壁板２の窓孔２ａから必ず一定の突出量とすることが可能であり、このスピンドル１３に装着される流量調節用のハンドル１４も壁板２から必ず一定の突出量とすることができる。
【００２１】
【発明の効果】
本発明では請求項１では、建物内部の柱に固定し、水の流路を開閉するスピンドルを備えた水栓金具を支持するためのレールを形成した後板と、前記柱と間隔をおいて立設した壁板の表側から、壁板に穿設した窓孔を挟んで後板へ固定する前板とからなり、前記前板は固定手段により後板に支持された水栓金具を固定し、前記窓孔から前方に露出するスピンドルに操作用のハンドルを装着するようにした。従って施工現場により柱と壁板の間隔にばらつきがあったり、壁板の肉厚が異なっていても、ハンドルの壁板からの突出量を一定にすることができ、施工の仕上がりを向上させることができる。
【００２２】
また請求項２では、前記後板のレールは水栓金具を前後にスライド自在に支持したので，水栓金具を容易に前板へ引き寄せることができる。
【００２３】
請求項３及び４では、前記水栓金具は固定用孔を穿設し、前板には固定用孔と前後に向かい合わせてねじ孔を穿設し、前板のねじ孔と水栓金具の固定用孔を固定手段であるボルトにより固定するので、誰にでも容易に施工が可能である。
【図面の簡単な説明】
【図１】本発明の水栓金具の壁板への固定構造の説明図で、柱に後板を固定した状態の説明図である。
【図２】図１の後板に水栓金具を支持した状態の説明図である。
【図３】図２から水栓金具の前側に壁板を立設した状態の説明図である。
【図４】図３から表板を壁板に固定した状態の説明図である。
【図５】図４の側面図である。
【図６】図５にハンドル及び化粧カバーを装着した状態の説明図である。
【図７】従来技術の説明図である。
【符号の説明】
１                      柱
２                      壁板
２ａ                    窓孔
３                      後板
７                      レール
８                      水栓金具
１３                    スピンドル
１４                    ハンドル
１８                    固定用孔
１９                    前板
２１ａ                  ねじ孔
２２                    ボルト
【図１】
0004636715.tif 000002
【図２】
0004636715.tif 000003
【図３】
0004636715.tif 000004
【図４】
0004636715.tif 000005
【図５】
0004636715.tif 000006
【図６】
0004636715.tif 000007
【図７】
0004636715.tif 000008